(57)【特許請求の範囲】
【請求項１】
キャビネット本体の上面に、平面略楕円形、長円形、ナス形、円形等の異形天板を取付け、該異形天板の一端部に他の異形天板の他端部を受け入れる凹陥部を形成するとともに、該凹陥部に対応する異形天板の下面から側方へ把手杆を張り出し形成し、他の異形天板の他端部下面を前記把手杆に載置可能としてなることを特徴とする異形天板付きキャビネット。
【請求項２】
前記異形天板の凹陥部に他の異形天板の他端部を受け入れ且つ前記把手杆の上面に他の異形天板の他端部を載置した状態で、前記把手杆を他の異形天板の他端部下面にネジ止めして連結してなる請求項１記載の異形天板付きキャビネット。
【請求項３】
前記異形天板の凹陥部に他の異形天板の他端部を受け入れ且つ前記把手杆の上面に他の異形天板の他端部を載置した状態で、前記把手杆を下方から取り囲んだ状態の連結金具を他の異形天板の他端部下面にネジ止めして連結してなる請求項１記載の異形天板付きキャビネット。
【請求項４】
前記異形天板の凹陥部に他の異形天板の他端部を受け入れ且つ前記把手杆の上面に他の異形天板の他端部を載置した状態で、前記把手杆の上面に突設した突起を他の異形天板の他端部下面に形成した凹部に係合して連結してなる請求項１記載の異形天板付きキャビネット。
【請求項５】
前記異形天板の凹陥部に他の異形天板の他端部を受け入れ且つ前記把手杆の上面に他の異形天板の他端部を載置した状態で、前記把手杆と凹陥部で形成される空間部内に他の異形天板の他端部下面に突設した突出部を嵌合して連結してなる請求項１記載の異形天板付きキャビネット。
【発明の詳細な説明】
【０００１】
【発明の属する技術分野】
本発明は、異形天板付きキャビネットに係わり、更に詳しくはカウンターとしても使用でき、複数台を側方へ連結して使用することができる異形天板付きキャビネットに関するものである。
【０００２】
【従来の技術】
従来、平面略楕円形、長円形、ナス形、円形等の異形天板を有するテーブルは、実公平５−２３０６３号公報にて開示されるように公知である。ここで、前記異形天板には、適宜半径の膨出円弧状辺部を有し、前記円弧状辺部に対向する部位に、当該円弧状辺と同半径の凹陥円弧状辺を形成している。
【０００３】
そして、複数のテーブルを側方に並べて設置する場合に、互いに隣接する異形天板の一方の異形天板の凹陥円弧状辺部に他方の異形天板の膨出円弧状辺部を接合するのである。
【０００４】
しかし、隣接するテーブルの辺部を単に接合しただけであるので、位置ずれを起こし易いといった欠点がある。特に、下端にキャスターを設けて移動可能となしたテーブルでは、その問題は顕著である。また、床面が水平ではなく、うねりや凹凸がある場合には、隣接する異形天板に段差が生じることもある。
【０００５】
【発明が解決しようとする課題】
本発明が前述の状況に鑑み、解決しようとするところは、異形天板を有する複数台のキャビネットを互いに隣接させて設置する際に、隣接する異形天板間に段差が生じず、また互いに連結して容易に位置ずれが生じないようにした異形天板付きキャビネットを提供する点にある。
【０００６】
【課題を解決するための手段】
本発明は、前述の課題解決のために、キャビネット本体の上面に、平面略楕円形、長円形、ナス形、円形等の異形天板を取付け、該異形天板の一端部に他の異形天板の他端部を受け入れる凹陥部を形成するとともに、該凹陥部に対応する異形天板の下面から側方へ把手杆を張り出し形成し、他の異形天板の他端部下面を前記把手杆に載置可能としてなる異形天板付きキャビネットを構成した。
【０００７】
ここで、前記異形天板の凹陥部に他の異形天板の他端部を受け入れ且つ前記把手杆の上面に他の異形天板の他端部を載置した状態で、前記把手杆を他の異形天板の他端部下面にネジ止めして連結してなることが好ましい。
【０００８】
あるいは、前記異形天板の凹陥部に他の異形天板の他端部を受け入れ且つ前記把手杆の上面に他の異形天板の他端部を載置した状態で、前記把手杆を下方から取り囲んだ状態の連結金具を他の異形天板の他端部下面にネジ止めして連結してなることも好ましい。
【０００９】
また、前記異形天板の凹陥部に他の異形天板の他端部を受け入れ且つ前記把手杆の上面に他の異形天板の他端部を載置した状態で、前記把手杆の上面に突設した突起を他の異形天板の他端部下面に形成した凹部に係合して連結してなることも好ましい。
【００１０】
また、前記異形天板の凹陥部に他の異形天板の他端部を受け入れ且つ前記把手杆の上面に他の異形天板の他端部を載置した状態で、前記把手杆と凹陥部で形成される空間部内に他の異形天板の他端部下面に突設した突出部を嵌合して連結してなることも好ましい。
【００１１】
【発明の実施の形態】
次に本発明の実施の形態を添付図面に基づき更に詳細に説明する。図１及び図２は、本発明に係る異形天板付きキャビネットの代表的実施形態を示し、図中符号１はキャビネット本体、２は異形天板、３は化粧側面板、４は台車をそれぞれ示している。
【００１２】
本発明に係る異形天板付きキャビネットは、キャビネット本体１の上面に、平面略楕円形、長円形、ナス形、円形等の異形天板２を取付け、該異形天板２の一端部Ａに他の異形天板２の他端部Ｂを受け入れる凹陥部５を形成するとともに、該凹陥部５に対応する異形天板２の下面から側方へ把手杆６を張り出し形成し、他の異形天板２の他端部Ｂ下面を前記把手杆６に載置可能としたものである。
【００１３】
本実施形態における前記キャビネット本体１は、内部に収納部７を有し、それ自体で独立して使用できるものであるが、前記キャビネット本体１の上面に異形天板２を、両側面に化粧側面板３，３を、下面に台車４をそれぞれ着脱可能に取付けている。前記化粧側面板３の上下端面は異形天板１の下面と台車４の上面にそれぞれ当接し、キャビネット本体１の強度を向上させている。前記キャビネット本体１は、両側版８，８と天板９及び底板１０とからなり、内部に複数の棚板１１，…を装着し、又は棚板を省略したものであり、前面開口部は開放したままでも、また開閉扉又はシャッターを設けても良い。
【００１４】
前記化粧側面板３は、ハンギング部材、収納部材、棚受部材等の物品保持部材１２を着脱可能に取付け得る係止孔１３，…を上下、横方向に複数形成し、キャビネット本体１の側板８に内方からネジ止めにて着脱可能に取付けるようになっている。
【００１５】
また、前記台車４は、本実施形態では、両側に前後に延びた縦部材１４，１４を配し、両縦部材１４，１４間に前後の横部材１５，１５を固定してフレーム形成するとともに、前記両縦部材１４，１４の前後端部にそれぞれキャスター１６，…を装着したものである。ここで、前記キャスター１６が垂直支軸に対して回転しても縦部材１４の平面投影面から側方へはみ出さないようにすることがより好ましい。そして、前記キャビネット本体１を当該台車４の上面に載せ、前記横部材１５，１５を各二箇所で前記底板１０にネジ止めして着脱可能に連結している。尚、前記台車４の縦部材１４の全部又は一部はキャビネット本体１より側方へ突出し、該縦部材１４の上面に前記化粧側面板３の下端面が当接するように設定している。
【００１６】
そして、前記異形天板２をキャビネット本体１の天板９の上面に取付けるには、図２に示すように、前記天板９の四隅部に取付孔１７，…を形成するとともに、異形天板２の下面の対応する位置に、螺孔１８，…を形成し、収納部７の内部からネジ１９，…を前記取付孔１７に挿通し、所定位置の螺孔１８に螺合できるようにした構造を採用している。
【００１７】
図１は、キャビネット本体１の側面（化粧側面板３の側面）から突出した異形天板２の下方に形成される空間に、前記各種の物品保持部材１２を取付けて物品をキャビネット本体１の外部側面部に収納できるようになっている。この際、前記物品保持部材１２は、前記化粧側面板３の係止孔１３，…を利用して取付けた状態で、前記異形天板２の水平投影面から側方へ突出しないように設定することが望ましい。
【００１８】
また、図３に示したものは、本発明に係る異形天板付きキャビネットの他の実施形態を示している。本実施形態の場合には、前記台車４の代わりに、前記化粧側面板３の下端に縦部材２０を固定し、該縦部材２０の前後両端部にそれぞれキャスター１６，１６を取付けた構造のものである。その他の構成は前記同様であるので、同一構成には同一符号を付してその説明は省略する。
【００１９】
また、図４に示したものは、本発明に係る異形天板付きキャビネットの更に他の実施形態を示している。本実施形態の場合には、前記台車４の代わりに、キャビネット本体１の底板１０の下面四隅に又は側板８の前後端面に、あるいは両者に跨った位置に、取付金具２１を介してキャスター１６をそれぞれ独立して取付けるようにしたものである。その他の構成は前記同様であるので、同一構成には同一符号を付してその説明は省略する。
【００２０】
更に、本実施形態の異形天板付きキャビネットの使用形態を説明する。図１には、キャビネット本体１の側面から側方へ突出した異形天板２の下方空間に、前記化粧側面板３の係止孔１３，…を利用して、前記物品保持部材１２として横長のハンギング部材２２やワイヤーで形成したマガジンラック２３を取付けている。
【００２１】
更に詳しく、本発明に係る異形天板付きキャビネットを説明する。前記異形天板２の平面視形状は、楕円形、長円形、ナス形、円形等の外周縁が連続した円弧で形成されたものであれば、どのような形状であっても良い。そして、前記異形天板２の一端部Ａと他端部Ｂが存在し、一端部Ａに他端部Ｂの円弧縁に一致又は近似した円弧縁を有する前記凹陥部５を形成するとともに、前記把手杆６の外形を前記他端部Ｂの円弧縁の形状と略一致させている。尚、図示しないが、湾曲した前記把手杆６の両端部を異形天板２の一端部Ａ下面にネジ止めすることによって取付けているが、その取付構造は特に限定されない。また、前記把手杆６の素材も、スチール製のパイプであっても、合成樹脂製の成形品であっても良い。
【００２２】
そして、前記凹陥部５と把手杆６との間には上下に開放した空間部２４が形成されている。前記把手杆６は、文字通り当該キャビネットを移動させる時に、手で持って引っ張り、あるいは押すために使用することがでる。また、前記空間部２４は、異形天板２の上面に置いた電気機器の電源ケーブルや信号ケーブルを通すために利用することができる。尚、図示しないが、前記把手杆６の下端側の適所に余剰ケーブルを吊支できるようなフック部を設けておくことも好ましい。
【００２３】
図５は、複数台のキャビネットを側方へ並べて設置した使用例を示し、隣接する一方の異形天板２の一端部Ａに設けた前記凹陥部５に、他方の異形天板２の他端部Ｂを受け入れて接合するとともに、他方の異形天板２の他端部Ｂ下面を一方の異形天板２の一端部Ａに設けた前記把手杆６に載置している。このようにすることによって、床面が水平ではなく、うねりや凹凸がある場合にも、隣接する異形天板２，２に段差が生じることがなくなるのである。尚、前記把手杆６の少なくとも上端面を摩擦抵抗の大きな素材で覆い、他方の異形天板２の下面に接触させることにより、隣接するキャビネットの位置ずれを効果的に防止することが可能となる。
【００２４】
更に、隣接した異形天板２，２同士を連結することが好ましい。具体的な連結手段は、図６〜図９に示している。図６に示した連結手段は、前記異形天板２の凹陥部５に他の異形天板２の他端部Ｂを受け入れ且つ前記把手杆６の上面に他の異形天板２の他端部Ｂを載置した状態で、前記把手杆６を他の異形天板２の他端部Ｂ下面にネジ止めして連結するものである。具体的には、前記把手杆６に単又は複数の上下貫通孔２５を形成するとともに、異形天板２の他端部Ｂに螺孔２６，…を複数形成し、ネジ２７を貫通孔２５に下方から挿通し、前記螺孔２６に螺合するのである。ここで、隣接する異形天板２，２同士の連結角度は、図５に示すように自由度があるため、前記螺孔２６を前記貫通孔２５に対応させて複数形成している。
【００２５】
また、図７に示した連結手段は、前記異形天板２の凹陥部５に他の異形天板２の他端部Ｂを受け入れ且つ前記把手杆６の上面に他の異形天板２の他端部Ｂを載置した状態で、前記把手杆６を下方から取り囲んだ状態の連結金具２８を他の異形天板２の他端部Ｂ下面にネジ止めして連結するものである。ここで、前記連結金具２８は、薄板材を断面略ひ字形に屈曲して形成したものであり、中央部の凹部２９で前記把手杆６を下方から取り囲み、両端の取付片３０，３０に形成した通孔３１，３１に下方より挿通したネジ３２，３２を他方の異形天板２の他端部Ｂ下面に形成した螺孔３３，３３に螺合して連結するようになっている。この場合は、把手杆６に対する連結金具２８の位置を変えることができるので、隣接する異形天板２，２同士の連結角度が多少変化しても対応することができる。
【００２６】
また、図８に示した連結手段は、前記異形天板２の凹陥部５に他の異形天板２の他端部Ｂを受け入れ且つ前記把手杆６の上面に他の異形天板２の他端部Ｂを載置した状態で、前記把手杆６の上面に突設した突起３４を他の異形天板２の他端部Ｂ下面に形成した凹部３５に係合して連結するものである。
【００２７】
また、図９に示した連結手段は、前記異形天板２の凹陥部５に他の異形天板２の他端部Ｂを受け入れ且つ前記把手杆６の上面に他の異形天板２の他端部Ｂを載置した状態で、前記把手杆６と凹陥部５で形成される空間部２４内に他の異形天板２の他端部Ｂ下面に突設した突出部３６を嵌合して連結するものである。
【００２８】
また、前記異形天板２の凹陥部５と把手杆６を利用して各種のオプションを装着して、更に使用の態様を豊富にすることができる。図１０は、前記空間部２４の下方に前記把手杆６とは間隔を置いて受板３７を設け、凹陥部５と把手杆６とで形成された空間部２４内にコップ３８やペン立て等を収容できるようにしている。ここで、前記受板３７は、把手杆６を合成樹脂製で成形する場合には、把手杆６と一体成形することも可能である。
【００２９】
また、図１１は、前記凹陥部５に接合し且つ前記把手杆６に載置できる形状の補助天板３９に、コンセント端子４０を内蔵したものであり、前記を把手杆６に載置した状態で補助天板３９の上面を異形天板２の上面と面一になるように設定したものである。尚、図示しないが、前記補助天板３９の下面には、前記空間部２４に嵌合する突出部を形成することが好ましい。
【００３０】
また、前記異形天板２の他の例として、平面視円形のものを図１２に示し、その円形の異形天板２を有するキャビネットを４台密接させて設置した状態を図１３に示している。ここで、前述の他端部Ｂは、把手杆６の位置を除く異形天板２の全周に対応する。
【００３１】
更に、前記異形天板２の凹陥部５内に該凹陥部５よりも曲率半径の小さな小凹陥部を形成することも好ましい。この場合、一方の異形天板２の前記凹陥部５に他方の異形天板２の他端部Ｂを接合しても、前記小凹陥部の存在によって上下に貫通した小空間部を確保することができ、それによりこの小空間部を通して配線することができる。
【００３２】
【発明の効果】
以上にしてなる請求項１に係る発明の異形天板付きキャビネットは、キャビネット本体の上面に、平面略楕円形、長円形、ナス形、円形等の異形天板を取付け、該異形天板の一端部に他の異形天板の他端部を受け入れる凹陥部を形成するとともに、該凹陥部に対応する異形天板の下面から側方へ把手杆を張り出し形成し、他の異形天板の他端部下面を前記把手杆に載置可能としてなるので、異形天板を有する複数台のキャビネットを互いに隣接させて設置する際に、隣接する異形天板間に段差が生じず、また互いにの位置ずれを防止することができる。また、キャビネットを移動させる時に、把手杆を手で持って引っ張り、あるいは押すために使用することがでる。
【００３３】
請求項２〜５によれば、隣接した異形天板同士を連結するので、互いの位置ずれを確実に防止できる。
【図面の簡単な説明】
【図１】本発明に係る異形天板付きキャビネットの全体斜視図である。
【図２】同じく分解斜視図である。
【図３】キャビネットを移動可能となすキャスターの取付構造の他の実施形態を示す分解斜視図である。
【図４】同じくキャビネットを移動可能となすキャスターの取付構造の更に他の実施形態を示す分解斜視図である。
【図５】複数台のキャビネットを隣接させて設置した状態の簡略平面図である。
【図６】異形天板同士を連結する第１連結手段を示す部分斜視図である。
【図７】異形天板同士を連結する第２連結手段を示す部分斜視図である。
【図８】異形天板同士を連結する第３連結手段を示す部分斜視図である。
【図９】異形天板同士を連結する第４連結手段を示す部分斜視図である。
【図１０】異形天板の凹陥部と把手杆を利用して各種のオプションを装着する使用例を示す部分斜視図である。
【図１１】同じく他の使用例を示す部分斜視図である。
【図１２】平面視円形の異形天板を示す平面図である。
【図１３】平面視円形の異形天板を有する４台のキャビネットを隣接設置した状態を示す平面図である。
【符号の説明】
１  キャビネット本体      ２  異形天板
３  化粧側面板            ４  台車
５  凹陥部                ６  把手杆
７  収納部                ８  側版
９  天板                  １０  底板
１１  棚板                １２  物品保持部材
１３  係止孔              １４  縦部材
１５  横部材              １６  キャスター
１７  取付孔              １８  螺孔
１９  ネジ                ２０  縦部材
２１  取付金具            ２２  ハンギング部材
２３  マガジンラック      ２４  空間部
２５  貫通孔              ２６  螺孔
２７  ネジ                ２８  連結金具
２９  凹部                ３０  取付片
３１  通孔                ３２  ネジ
３３  螺孔                ３４  突起
３５  凹部                ３６  突出部
３７  受板                ３８  コップ
３９  補助天板            ４０  コンセント端子
【図１】
0003603820.tif 000002
【図２】
0003603820.tif 000003
【図３】
0003603820.tif 000004
【図４】
0003603820.tif 000005
【図５】
0003603820.tif 000006
【図６】
0003603820.tif 000007
【図７】
0003603820.tif 000008
【図８】
0003603820.tif 000009
【図９】
0003603820.tif 000010
【図１０】
0003603820.tif 000011
【図１１】
0003603820.tif 000012
【図１２】
0003603820.tif 000013
【図１３】
0003603820.tif 000014